(57)【要約】パッケージ（１４０、３４０、５４０、９４０、１１４０）は、パッケージのボトムパネルを介し延在する容器を保持するために形成される。ブレースはパッケージ内に容器を少なくとも部分的に固定するために提供される。
2009523670.tif 000002
【特許請求の範囲】
【請求項１】
複数の容器を保持するためのパッケージであって、前記パッケージは、
前記パッケージ内部周辺に少なくとも部分的に延在するパネルであって、トップパネルと、ボトムパネルと、第１のサイドパネルと、第２のサイドパネルと、を備える、パネルと、
前記ボトムパネルに、前記容器の上部を受け止めて保持するための、少なくとも１つの機能部と、を備え、
前記少なくとも１つの機能部は、前記容器の前記上部を受け止めるための少なくとも２つの開口と、前記容器に係合し、前記パッケージ内で前記容器の動きを少なくとも部分的に抑制するように、前記開口の間に配置されたブレースと、を備え、
前記ブレースは、前記ボトムパネルに折り曲げ可能に取り付けられた第１のブレースパネルと、前記ボトムパネルに折り曲げ可能に取り付けられた第２のブレースパネルと、を備え、前記第１および第２のブレースパネルは、前記ブレースを形成するように、連結して係合している、パッケージ。
【請求項２】
前記第１および前記第２のブレースパネルのうちの１つは、前記第１および前記第２のブレースパネルのうちのもう一方の少なくとも一部を受け止めるための開口を備える、請求項１に記載のパッケージ。
【請求項３】
前記第１および前記第２のブレースパネルのうちのもう一方は、前記開口で受け止められる突出部を備える、請求項２に記載のパッケージ。
【請求項４】
前記開口は、前記第１のブレースパネルに取り付けられた少なくとも１つのフラップを画定する、請求項２に記載のパッケージ。
【請求項５】
前記少なくとも１つのフラップは、２つのフラップであり、前記開口は、前記２つのフラップの間にスリットを備える、請求項２に記載のパッケージ。
【請求項６】
前記第１のブレースパネルは、下部ブレース部分に折り畳み可能に取り付けられた上部ブレース部分を備え、前記第２のブレースパネルは、下部ブレース部分に折り畳み可能に取り付けられた上部ブレース部分を備える、請求項１に記載のパッケージ。
【請求項７】
前記第２のブレースパネルは、前記上部ブレース部分と前記下部ブレース部分に折り曲げ可能に接続する折り目と、前記折り目の各終端において、前記上部滑り止めブレース部分の一部を前記下部滑り止めブレース部分から分離するの２つの離間した終端切り目とを備えている、請求項６に記載のパッケージ。
【請求項８】
前記折り目は、容器受け止り凹部を前記ブランクに形成するように、前記終端切り目からずれている、請求項７に記載のパッケージ。
【請求項９】
前記第１のブレースパネルの前記上部パネル部分は、前記第２のブレースパネルの前記上部ブレース部分の一部に少なくとも部分的に重なる、請求項６に記載のパッケージ。
【請求項１０】
前記第１および第２のサイドパネルは、前記容器の少なくとも一部を受け止めるための開口を有する、請求項１に記載のパッケージ。
【請求項１１】
複数の容器と組み合わせた請求項１に記載のパッケージであって、前記複数の容器は、前記ボトムパネルに少なくとも部分的に受け止められる上部を有するボトルを備える、パッケージ。
【請求項１２】
複数の容器を保持するパッケージを形成するためのブランクであって、前記ブランクは、
トップパネルと、ボトムパネルと、第１のサイドパネルと、第２のサイドパネルと、を備えるパネルと、
前記ボトムパネルに少なくとも２つの開口と、
前記ボトムパネルに折り曲げ可能に取り付けられた第１のブレースパネルと、前記ボトムパネルに折り曲げ可能に取り付けられた第２のブレースパネルと、を備え、前記第１および第２のブレースパネルは、互いに連結して係合するように適合され、前記第１および第２のブレースパネルは、前記開口にそれぞれ配置されている、ブランク。
【請求項１３】
前記第１および前記第２のブレースパネルのうちの一方のブレースパネルは、前記第１および前記第２のブレースパネルのうちの他方のブレースパネルの少なくとも一部を受け止めるための開口を備える、請求項１２に記載のブランク。
【請求項１４】
前記第１および前記第２のブレースパネルのうちの他方のブレースパネルは、前記第１および第２のブレースパネルのうちの前記一方のブレースパネルの前記開口で受け止められるための突出部を備える、請求項１３に記載のブランク。
【請求項１５】
前記第１および第２のブレースパネルのうちの前記一方のブレースパネルにある前記開口は、前記第１のブレースパネルに取り付けられた少なくとも１つのフラップを少なくとも部分的に画定する、請求項１３に記載のブランク。
【請求項１６】
前記少なくとも１つのフラップは２つのフラップであり、前記第１および第２のブレースパネルのうちの前記一方のブレースパネルにある前記開口は、前記２つのフラップの間にスリットを備える、請求項１３に記載のブランク。
【請求項１７】
前記第１のブレースパネルは、下部ブレース部分に折り曲げ可能に取り付けられた上部ブレース部分を備え、前記第２のブレースパネルは、下部ブレース部分に折り曲げ可能に取り付けられた上部ブレース部分を備える、請求項１２に記載のブランク。
【請求項１８】
前記第２のブレースパネルは、前記上部ブレース部分と前記下部ブレース部分を折り曲げ可能に接続する折り目を備え、前記折り目の各終端の２つの離間する終端切り目によって、前記上部ブレース部分の一部を前記下部ブレース部分から分離する、請求項１７に記載のブランク。
【請求項１９】
前記折り目は、前記ブランクに容器受け止め凹部を形成するように、前記終端切り目からずれている、請求項１８に記載のブランク。
【請求項２０】
前記第１のブレースパネルの前記上部パネル部分は、前記第２のブレースパネルの前記上部ブレース部分の一部と少なくとも部分的に重なって係合するためのものである、請求項１７に記載のブランク。
【請求項２１】
前記第１および第２のサイドパネルは、前記容器の少なくとも一部を受け止めるための開口を有する、請求項１２に記載のブランク。
【請求項２２】
複数の容器を収容するためのパッケージを形成する方法であって、
ボトムパネルと、前記ボトムパネルに折り曲げ可能に取り付けられた第１のブレースパネルと、前記ボトムパネルに折り曲げ可能に取り付けられた第２のブレースパネルと、を有するブランクを提供するステップと、
前記ブレースパネルが連結して係合するように、前記第１のブレースパネルと前記第２のブレースパネルを折り曲げることによってブレースを形成するステップと、を備える、方法。
【請求項２３】
前記ブレースを形成するステップは、前記第２のブレースパネルの少なくとも一部を前記第１のブレースパネルの開口に挿入するステップを備える、請求項２２に記載の方法。
【請求項２４】
前記ブレースを形成するステップは、前記第２のブレースパネル上の突出部を前記第１のブレースパネルの２つのフラップの下の前記開口に挿入するステップを備える、請求項２３に記載の方法。
【請求項２５】
少なくとも１つの容器を前記ボトムパネルの容器受け止め開口に挿入するステップと、前記容器の上部を前記パッケージに保持するステップと、をさらに備える、請求項２２に記載の方法。
【請求項２６】
前記容器の前記上部は、前記パッケージからの前記容器の引き出しを少なくとも部分的に抑制するために、前記ブレースとの係合によって、前記パッケージ内に保持される、請求項２５に記載の方法。
【請求項２７】
複数の容器を保持するためのパッケージであって、
前記パッケージの内部周辺に少なくとも一部に延在するパネルと、
前記容器の上部を受け止めて保持するための前記パネルの少なくとも１つに、少なくとも１つの機能部と、を備え、
前記少なくとも１つの機能部は、前記容器の前記上部を受け止めるための少なくとも２つの開口と、前記容器と係合して、前記パッケージ内で前記容器の動きを少なくとも部分的に抑制するブレースと、を備え、
前記ブレースは、第１のブレースパネルと、第２のブレースパネルとを備え、前記第１および第２のブレースパネルは、前記ブレースを形成するように連結して係合している、パッケージ。
【請求項２８】
複数の容器を保持するパッケージを形成するためのブランクであって、
トップパネルと、ボトムパネルと、第１のサイドパネルと、第２のサイドパネルと、を備えるパネルと、
前記パネルのうちの少なくとも１つに少なくとも２つの開口と、
第１のブレースパネルおよび第２のブレースパネルと、を備え、前記第１および第２のブレースパネルは、互いに連結して係合するように適合されている、ブランク。
【請求項２９】
複数の容器を収容するためのパッケージを形成する方法であって、
第１のブレースパネルと、第２のブレースパネルと、を有するブランクを提供するステップと、
前記ブレースパネルが連結して係合するように、前記第１のブレースパネルおよび前記第２のブレースパネルを折り曲げることによってブレースを形成するステップと、を備える、方法。
【発明の詳細な説明】
【関連出願の記述】
【０００１】
本願は２００６年１月１７日付申請の米国仮特許出願第６０／７５９，３１９および２００６年１月３０日付申請の米国仮特許出願第６０／７６３，４２５に対し、優先権を主張する。上記参照の仮特許出願両方の全ての内容は、ここに参照されることで緩用される。
【技術分野】
【０００２】
本発明は、概して、容器を保持および表示するためのパッケージまたはカートンに関する。より具体的には、本発明は、容器に係合して、パッケージにより保持される容器の動きを少なくとも部分的に抑制する１つ以上のブレースを有するパッケージに関する。
【背景技術】
【０００３】
容器の上部を係合するためのパッケージまたはカートンは公知である。容器は、典型的に、パッケージのボトムパネルの開口を介して挿入され、容器の放射状突出部を係合することによって固定される。このようなパッケージの１つが、Ｂａｋｘの米国特許第６，２２３，８９２号に開示されている。しかしながら、既存のパッケージは、容器を十分に支えない、直立させることが困難である、および／または占める基板面積が広すぎて製造コストがより高くなるといった可能性がある。このように、容器を保持して表示するための改善されたパッケージに対する必要性が存在する。
【発明の開示】
【０００４】
概して、本発明の一態様は、複数の容器を保持するためのパッケージに関する。パッケージは、パッケージの内部周辺に少なくとも部分的に延在するパネルを備える。パネルは、トップパネル、ボトムパネル、第１のサイドパネルおよび第２のサイドパネルを備える。ボトムパネルには、容器の上部を受け止めて保持するために、少なくとも１つの機能部が存在する。少なくとも１つの機能部は、容器の上部を受け止めるための少なくとも２つの開口と、容器に係合して、パッケージ内で容器の動きを少なくとも部分的に抑制するように、開口の間に配置されたブレースと、を備える。ブレースは、ボトムパネルに折り曲げ可能に取り付けられた第１のブレースパネルと、ボトムパネルに折り曲げ可能に取り付けられた第２のブレースパネルと、を備える。第１および第２のブレースパネルは、ブレースを形成するように、連結して係合される。
【０００５】
別の態様では、本発明は、概して、複数の容器を保持するためのパッケージを形成するためのブランクに関する。ブランクは、トップパネル、ボトムパネル、第１のサイドパネルおよび第２のサイドパネルを備える。ボトムパネルには少なくとも２つの開口が存在する。第１のブレースパネルは、ボトムパネルに折り曲げ可能に取り付けられ、第２のブレースパネルは、ボトムパネルに折り曲げ可能に取り付けられる。第１および第２のブレースパネルは、互いに連結して係合するように適合される。第１および第２のブレースパネルは、それぞれ、開口に配置される。
【０００６】
別の態様では、本発明は、概して、複数の容器を収容するためのパッケージを形成する方法に関する。該方法は、ボトムパネル、ボトムパネルに折り曲げ可能に取り付けられた第１のブレースパネル、および、ボトムパネルに折り曲げ可能に取り付けられた第２のブレースパネルを有するブランクを提供するステップを備える。該方法は、ブレースパネルが連結して係合するように、第１のブレースパネルと第２のブレースパネルを折り曲げることによってブレースを形成するステップをさらに備える。
【０００７】
別の態様では、本発明は、概して、複数の容器を保持するためパッケージに関する。該パッケージは、パッケージの内部周辺に少なくとも部分的に延在するパネルと、容器の上部を受け止めて保持するために、パネルの少なくとも１つに少なくとも１つの機能部を備える。少なくとも１つの機能部は、容器の上部を受け止めるための少なくとも２つの開口と、容器に係合して、パッケージ内で容器の動きを少なくとも部分的に抑制するブレースと、を備える。ブレースは、第１のブレースパネルおよび第２のブレースパネルを備える。第１および第２のブレースパネルは、ブレースを形成するように、連結して係合している。
【０００８】
別の態様では、本発明は、概して、複数の容器を保持するためのパッケージを形成するためのブランクに関する。ブランクは、トップパネル、ボトムパネル、第１のサイドパネルおよび第２のサイドパネルを備える。パネルのうち少なくとも１つに少なくとも２つの開口が存在する。ブランクは、第１のブレースパネルおよび第２のブレースパネルをさらに備える。第１および第２のブレースパネルは、互いに連結して係合するように適合される。
【０００９】
別の態様では、本発明は、概して、複数の容器を収容するためのパッケージを形成する方法に関する。該方法は、第１のブレースパネルおよび第２のブレースパネルを有するブランクを提供するステップと、ブレースパネルが連結して係合するように、第１のブレースパネルおよび第２のブレースパネルを折り曲げることによってブレースを形成するステップと、を備える。
【発明を実施するための最良の形態】
【００１０】
当業者は、以下に列挙された図面を参照しながら、以下の実施形態の詳細説明を読むことによって、上記の利点およびその他の利点、および多様な追加の実施形態の利点を理解する。
【００１１】
一般的な実施に従い、以下で説明する図面の多様な機能は、一定の縮尺比で描かれているとは限らない。図面の多様な機能や要素の寸法は、本発明の実施形態をより明確に示すために、拡大または縮小されている場合がある。
【００１２】
図面中、対応する部品は、対応する参照番号によって示される。
本発明は、概して、容器、瓶、ボトル、缶などの品物を保持して表示するための構造物、スリーブ、カートンなどやパッケージに関する。該品物は、例えば、食品や飲料製品を包装するために使用することができる。該品物は、特定の食品や飲料用品を包装するための構成に適した素材から作成することができ、該素材には、ＰＥＴ、ＬＤＰＥ、ＬＬＤＰＥ、ＨＤＰＥ、ＰＰ、ＰＳ、ＰＶＣ、ＥＶＯＨ、およびナイロンなどのプラスチックなど、アルミニウムおよび／あるいはその他の金属、ガラス、あるいはこれらの任意の組み合わせを含むが、これらに限定されない。
【００１３】
本発明によるパッケージは、多数の異なる形状の品物を包装することができる。本発明の範囲を限定する目的のためではなく、説明の目的のために、以下の詳細説明は、パッケージの実施形態内に少なくとも部分的に配置される食品容器（例えば、プラスチック容器）を説明する。本明細書において、「下部」「ボトム」「上部」および「トップ」という用語は、完全に組み立てられたパッケージに関して決定される配置を示す。
【００１４】
本実施形態は、容器に取り付けるカートンまたはパッケージに対応する。第１のパッケージまたはキャリア１４０の実施形態は、図３〜７の組み立てられた状態で図示されているが、ここでは、容器Ｃに取り付けられた状態で示されている。図示された実施形態では、容器Ｃは、トップフランジ部分Ｆを有する個人用飲料容器として示されているが、本発明から逸脱することなく、その他の容器をパッケージ１４０内に保持することができる。
【００１５】
図１は、本発明の第１の実施形態に従い、パッケージまたはキャリア１４０を形成するために使用されるブランク８のサイド３の平面図である。ブランク８は、縦軸Ｌ１および横軸Ｌ２を有する。ブランク８は、第１の横方向折り目２１で第１のサイドパネル２０に折り曲げ可能に接続されたトップパネル１０と、第２の横方向折り目３１で第１のサイドパネル２０に折り曲げ可能に接続されたボトムパネル３０と、第３の横方向折り目４１でボトムパネル３０に折り曲げ可能に接続された第２のサイドパネル４０と、を備える。粘着パネル５０は、第４の横方向折り目５１で第２のサイドパネル４０に折り曲げ可能に接続することができる。
【００１６】
１つ以上の切り目を横断折り目２１、３１、４１、５１のそれぞれに含めることができる。図１に示されたブランクの実施形態では、横断折り目２１、３１、４１、５１は、その中の切り目が折り目でブランク８の折り畳みを促進する切り目／折り目である。任意の数の切り目を任意の折り目の中に形成することができ、切り目の数と長さは、例えば、ブランク８を形成するために使用される素材の規格および／または剛性に応じて、選択することができる。折り目２１、３１、４１および５１は、本発明を逸脱することなく、その他の方法（例えば、切り目のない折り目）によって形成することができる。
【００１７】
ボトムパネル３０は、それぞれ、複数の第１および第２の上部受け止めパターン８０、１００を含む。それぞれの上部受け止めパターン８０、１００は、パッケージ１４０内に少なくとも部分的に包装される容器Ｃ（図３）の上部フランジ部分Ｆを受け止める形状と大きさである。それぞれの第１の上部受け止めパターン８０は、ボトムパネル３０に折り曲げ可能に取り付けられた第１のブレースパネル８１を画定する。それぞれの第１のブレースパネル８１は、上部ブレース部分８４と第１の下部ブレース部分８６を含む。それぞれの第２の上部受け止めパターン１００は、ボトムパネル３０に折り曲げ可能に取り付けられた第２のブレースパネル１０１を画定する。それぞれの第２のブレースパネルは、第２の上部ブレース部分１０４および第２の下部ブレース部分１０６を含む。ブレース部分８４、８６、１０４、１０６は、隣接する容器Ｃの上部フランジ部分Ｆに接触および支えるための、ブレース１３０（図２〜７）を形成するように、組み立てられたパッケージ１４０内で相互に接続する。
【００１８】
図１を参照すると、それぞれの第１の上部ブレース部分８４は、横方向折り目８２で第１の下部ブレース部分８６に折り曲げ可能に接続し、それぞれの第１の下部ブレース部分８６は、横方向の折り目８８でボトムパネル３０に折り曲げ可能に接続する。それぞれの第１の上部ブレース部分８４は、ブレース開口９０を含む。図示された実施形態では、ブレース開口９０は、開口を開くように、ブランク８の上部ブレース部分８４の面から外へ移動可能な２つの折り曲げ可能パネル９１（例えば、フラップのようなタブ）を画定するスリットのパターン（例えば、アーチ状スリットの凸側から延在する３つのスリット）によって形成される。レリーフ部分９２は、第１の上側ブレース部分８４の終端に形成することができる。図示された実施形態では、レリーフ部分９２は、ブレース部分の横方向のエッジ９３と、横方向エッジのそれぞれの終端で第１および第２の斜め方向のエッジ９５、９７を備え、それぞれのレリーフ部分は、ブランクが平坦な間はブランク８の穴に隣接する。
【００１９】
それぞれの第２の上部ブレース部分１０４は、横方向の折り目１０２で第２の下側ブレース部分１０６に折り曲げ可能に取り付けられ、それぞれの第２の下側ブレース部分１０６は、折り目１０８でボトムパネル３０に折り曲げ可能に取り付けられる。図示された実施形態では、横方向の折り目１０２は、横方向の折り目１０２の両終端に横方向の切り目１０９と、横方向の切り目から縦方向にずれる折り目を備える横方向の切り目の間に中間部分１１１を備える。横方向の折り目１０２は、本発明から逸脱せず、その他の形状および配置にすることができる。それぞれの第２の上部ブレース部分１０４は、ブランクが平坦な間はブランク８の穴に突出するブレース突出部１１４を含む。ブレース突出部１１４のそれぞれは、対向するブレース開口９０で受け止められて、ブレース開口を開くように折り曲げ可能パネルの動きを促進するような大きさである。
【００２０】
第１の上部ブレース部分８４、第１の下側ブレース部分８６、第２の上部ブレース部分１０４、および対向する上部受け止めパターン８０、１００の第２の下部ブレース部分１０６は、受け止めパターンの間のそれぞれのブレース１３０に形成される。図ブレース１３０が形成されると、第１の容器開口８５は、上向きに折り畳まれた第１の上部ブレース部分８４と第１の下部ブレース部分８６によって、空いた場所に少なくとも部分的に形成され、第２の容器開口１０５は、上向きに折り畳まれた第２の上部ブレース部分１０４と第２の下部ブレース部分１０６によって、空いた場所に少なくとも部分的に形成される。
【００２１】
第１のサイドパネル２０は、典型的に、第１の容器開口８５内に配置される容器Ｃの上部フランジ部分Ｆをそれぞれ受け止めるように適合されたサイド開口２２を含む（図２に図示）。第２のサイドパネル４０は、典型的に、第２の容器の開口１０５内に受け止められる容器Ｃの上部フランジ部分Ｆを受け止めるように適合された第２のサイド開口４２を含む（図２に図示）。
【００２２】
図２は、部分的に組み立てられたパッケージ１４０を図示し、組み立てられたパッケージのブレース１３０を形成するように、第１の上部ブレース部分８４と第２の上部ブレース部分１０４の連結係合を示す。図１を参照しながら、以下に、ブレース１３０を組み立てる典型的方法を説明する。第１の下部ブレース部分８６は、折り目８８の周囲でボトムパネル３０に対して折り畳まれて、第１の上部ブレース部分８４は、折り目８２の周囲で下部ブレース８６に対して折り畳まれる。第２の下部ブレース部分１０６は、折り目１０８の周囲でボトムパネル３０に対して折り畳まれて、第２の上部ブレース部分１０４は、折り目１０２の周囲で第２の下部ブレース部分１０６に対して折り畳まれる。第２の上部ブレース部分１０４のそれぞれのブレース突出部１１４は、第１のブレースパネル８１と第２のブレースパネル１０１の間に安全な係合を形成するように、第１の上部ブレース部分８４の対応するブレース開口９０で受け止められる。図５に図示されているように、第２の上部ブレース部分１０４は、開口９０を形成するように、第１の上部ブレース部分８４の残りの部分から上向きに折り畳まれる折り曲げ可能パネル９１と部分的に重なる。上部ブレース部分１０４は、第１の上部ブレース部分８４の残りの部分と部分的に重なる。図示された実施形態では、対向するブレース部分８４、８６および１０４、１０６は、３つのブレース１３０を形成するように、係合する。しかしながら、本発明を逸脱することなく、追加の、またはこれより少ない容器を包装するために、３つ以上または以下のブレースを含むことができる。また、終端切り目１０９から縦方向に離れた中央部分１１１を有する、折り目１０２を配置することによって、中央部分１１１の長さに対応して組み立てられたブレース１３０の中に上部ブレース部分１０４の凹状の横方向のエッジが形成される。凹状のエッジ１１１は、容器受け止め凹部を形成して、隣接容器の１つの上部フランジ部分Ｆに接する。
【００２３】
図３〜７は、内部で少なくとも部分的に受け止められる容器Ｃを保持する、組み立てられたパッケージ１４０の多様な図である。典型的例の組み立てられたパッケージ１４０では、粘着パネル５０は、例えば、糊またはその他の粘着剤によってトップパネル１０に取り付けることができる。第１および第２のサイドパネル２０、４０は、一般的に、ボトムパネル３０からトップパネル１０に向かって上向きに延在することができる。容器ＣのフランジＦは、それぞれ、第１および第２のサイドパネル２０、４０の第１および第２のブレース開口２２、４２で係合される。ブランク８は、パッケージ１４０内部の容器Ｃの動きを最小限に抑えるために、容器Ｃを比較的堅く包み込む。
【００２４】
図７に示されているように、ブレース１３０は、パッケージ１４０に包装された容器ＣのフランジＦを係合する。容器Ｃは、容器の上部フランジ部分Ｆがブレース１３０によって部分的に支えられるように、ボトムパネル３０の容器開口８５、１０５を介して延在する。図２を参照して上記で説明したように、第２の上部ブレース部分１０４のそれぞれのブレース突出部１１４は、ブレース１３０を形成するように、第１の上部ブレース部分８４の対向するブレース９０の中で受け止められる。ブレース突出部１１４が対応するブレース開口９０の中で受け止められると、折り曲げ可能パネル９１は、突出部を受け止めるように上向きに折り畳まれて、第１のブレースパネル８１および第２のブレースパネル１０１を連結係合の中に固定するように、突出部に対して下向きの力を適用する。フランジ部分Ｆの下のブレース１３０の支持部は、第１および第２のサイドパネル２０、４０の第１および第２のブレース開口２２、４２の支持部と共に、パッケージ１４０内に容器Ｃをしっかりと維持する。開口８５、１０５でのボトムパネル３０との容器Ｃの接触、および、トップパネル１０との接触も、パッケージ１４０内に容器Ｃを固定する。
【００２５】
図８は、第１の実施形態のブランク８に類似した、第２の実施形態のブランク２０８の外部２０３または印刷側の平面図である。ブランク２０８は、ブレース３３０を有する本発明の第２の実施形態に従い、パッケージまたはキャリア３４０（図１０）を形成するために使用される。第１の実施形態のブランク８とブランク２０８の同様の構成要素を示す同様の参照番号は、「２――」または「３――」の先頭番号で示される。
【００２６】
ブランク２０８のボトムパネル２３０は、第１の実施形態の上部受け止めパターン８０、１００に類似の、第１および第２の上部受け止めパターン２８０、３００を含む。第２の実施形態では、上部受け止めパターン２８０は、それぞれ、第１の上部ブレース部分２８４の第１のブレースパネル２８１の第１の上部ブレース部分２８４の横方向の直線エッジ２９３によって形成されるレリーフ部分２９２を含む。横方向のエッジ２９３は、ボトムパネル２３０から第１の上部ブレース部分２８４を分離する、対向する曲線切り目の間を延在する。また、第２のブレースパネル３０１は、それぞれ、第２の下部ブレース部分３０６を第２の上部ブレース部分３０４に接続する横方向の折り目３０２を含む。図８〜１０の実施形態では、横方向の折り目３０２は、ボトムパネル２３０の第２のブレースパネル３０１を画定する対向する曲線切り目の間を延在する。図９および１０に図示されるように、横方向の折り目３０２および横方向の折り目２８２は、容器のフランジ部分Ｆに接触するブレース３３０の対向するエッジの表面を形成する。
【００２７】
図１１は、本発明の第３の実施形態に従い、パッケージ５４０を形成するために使用されるブランク４０８の平面図である。ブランク４０８は、図８〜１０に図示して上記で説明したパッケージブランク２０８に類似しており、同様の参照番号は、図の同様の要素を示すことができる。ブランク４０８は、第１のブレースパネル４８１の第１の上部ブレース部分４８４に形成されたブレース開口４９０、および、第２のブレースパネル５０１の第２の上部ブレース部分５０４に形成されたブレース突出部５１４を含む。ブレース突出部５１４は、ブランク４０８の横方向Ｌ２では、図８に図示されたブレース突出部２１４よりやや大きい。
【００２８】
図１２は、本発明の第４の実施形態に従い、パッケージを形成するために使用されるブランク６０８の平面図である。ブランク６０８は図１に図示されたブランク８に類似しており、同様の参照番号は、図の同様の要素を示すことができる。ブランク６０８は、第１の上部ブレース部分６８４に形成されたブレース開口６９０、および第２の上部ブレース部分６０４に形成されたブレース突出部７１４を含む。ブレース突出部７１４は、ブランクの横方向Ｌ２では、図１に示されたブレース突出部１１４よりやや大きい。
【００２９】
図１３は、本発明の第５の実施形態に従い、パッケージ９４０（図１４）を形成するために使用されるブランク８０８の平面図である。ブランク８０８はブランク８、２０８、４０８、６０８に類似しており、同様の参照番号は、図の同様の要素を示すことができる。ボトムパネル８３０は、複数の第１および第２の上部受け止めパターン８８０、９００をそれぞれ含む。それぞれの第１の上部受け止めパターン８８０は、第１の上部ブレース部分８８４および第１の下部ブレース部分８８６を有する第１のブレースパネル８８１を画定する。それぞれの第２の上部受け止めパターン９００は、第２の上部ブレース部分９０４および第２の下部ブレース部分９０６を有する第２のブレースパネル９０１を画定する。第１および第２のブレースパネル８８１、９０１のブレース部分８８６、８８６、９０４、９０６は、ブレース９３０を形成するように、組み立てられたパッケージ９４０内で相互に接続する（図それぞれの第１の上部ブレース部分８８４は、第２の上部ブレース部分９０４上に配置されたブレース突出部９１４を受け止めるような大きさのブレース開口８９０を含む。それぞれの開口８９０は、横方向の折り目８９３で上部ブレース部分８８４に折り曲げ可能に取り付けられたブレースタブ８９１を含む。ブレース突出部９１４が少なくとも部分的にブレース開口８９０に入ると（つまり、タブ８９１の下で受け止められると）、第１の上部ブレース部分８８４上のブレースタブ８９１のボトム表面は、突出部９１４によって上向きに押される。
【００３０】
図１４を参照すると、ブレース９３０は、容器ＣのフランジＦの下部面に係合する。第２の上部ブレース部分９０４の各ブレース突出部９１４は、ブレース９３０を形成するように、第１の上部ブレース部分８８４の一致して対向するブレース開口８９０で受け止められる。ブレース開口８９０に押し込められたそれぞれのブレース突出部９１４は、第１の上部ブレース部分８８４上のブレースタブ８９１に上向きの力をかける。タブ８９１は、第１のブレースパネル８８１および第２のブレースパネル９０１を連結係合に固定するように、開口８９０で受け止められるブレース突出部９１４の一部に対して、下向きの力を適用する。
【００３１】
図１５は、本発明の第６の実施形態に従い、パッケージ１１４０を形成するために使用されるブランク１００８の平面図である。ブランク１００８は、第５の実施形態のブランク８０８に類似しており、同様の参照番号は、図の同様の要素を示すことができる。
【００３２】
ボトムパネル１０３０は、複数の第１および第２の上部受け止めパターン１０８０、１１００をそれぞれ含む。それぞれの第１の上部受け止めパターン１０８０は、第１の上部ブレース部分１０８４および第１の下部ブレース部分１０８６を有する第１のブレースパネル１０８１を画定する。それぞれの第２の上部受け止めパターン１１００は、第２の上部ブレース部分１１０４および第２の下部ブレース部分１１０６を有する第２のブレースパネル１１０１を画定する。ブレース部分１０８６、１０８６、１１０４、１１０６は、ブレース１１３０を形成するように、組み立てられたパッケージ１１４０内で相互に接続する（図１６）。それぞれの第１の上部ブレース部分１０８４は、第２の上部ブレース部分１１０４上に配置されたブレース突出部１１１４を受け取るような大きさのブレースレリーフ部分または開口１０９０を含む。
【００３３】
図１６を参照すると、ブレース１１３０は、容器ＣのフランジＦの下側側面に係合する。第２の上部ブレース部分１１０４のそれぞれのブレース突出部１１１４は、ブレース１１３０を形成するように、第１の上部ブレース部分１０８４の対向するブレースレリーフ部分または開口１０９０に受け止められる。
【００３４】
上記の実施形態において、「上部受け止め」パターンまたは開口という用語は、例えば、パッケージの組み立て時に、容器の上部分が「上部受け止め」としての開口を介して通過できることを意味するように、広義に解釈される。
【００３５】
上記で説明した典型的なパッケージの実施形態は、２列で３段に配置された６つの容器Ｃを包装するが、本発明はこれらの数に限定されない。一例として、容器の追加列は、ブランクの幅を増加すること（例えば、図１の横方向Ｌ２で）、および、追加の対向パターンおよびブレース開口を形成することによって、追加することができる。
【００３６】
上記の実施形態において、パッケージは、一般的に丸い上部の縁またはキャップを有する容器Ｃを収納しているように示されている。しかしながら、本発明の原則に応じて、その他の種類の容器をパッケージ内に包装することができる。
【００３７】
上記の典型的なパッケージの実施形態は、ブレース開口をブレース突出部に係合することによって、共に固定される上部ブレース部分を含む。代替実施形態は、糊などの接着剤によって共に固定される向かい合う上部ブレース部分を含んでもよい。このような代替実施形態では、ブレース開口およびブレース突出部は省略してもよい。
【００３８】
一般的に、ブランクは、通常の紙よりも重くより強固であるように、例えば、少なくとも厚みが約１４の板紙から作成してもよい。また、ブランクは、パッケージが少なくとも一般的に上記のように機能できるような適した特性を有する、ダンボール、または、その他任意の素材など、その他の素材から作成することができる。
【００３９】
ブランクは、例えば、粘土コーティングでコーティングできる。その後、粘土コーティングに、製品、広告、およびその他の情報または画像を印刷してもよい。その後、ブランクは、ブランク上に印刷された情報を保護するために、ニスでコーティングしてもよい。また、ブランクは、例えば、防湿層などで、ブランクの片面または両面をコーティングしてもよい。さらに、ブランクは、選択したパネルまたはパネル部分に１つ以上のシート状で積層またはコーティングすることもできる。
【００４０】
上記の実施形態は、糊によって接着された１つ以上のパネルを有するとして説明することができる。「糊」という用語は、板紙のカートンパネルを定位置に固定するために一般的に使用されるすべての方式の接着材を含むことを意図する。
【００４１】
「線」という用語は、本明細書では、単なる直線だけではなく、湾曲、曲線または角度配置された線など、その他の種類の線も含む。
【００４２】
典型的な実施形態に応じて、折り目は、必ずしも直線ではないが、それに沿って折り曲げることを促進する軟化の形式である、実質的な線形すべての可能性がある。本発明の範囲を狭めることを目的とせず、より具体的には、折り目は、望ましい弱線に沿って、素材に破砕部あるいは凹部を作成する、鈍いスコアリングナイフなどで形成された線などのスコアライン、望ましい弱線に沿って、素材中に部分的に延在する切り目、および／または望ましい弱線に沿って、素材に部分的におよび／または完全に延在する一連の切り目、およびこれらの機能の多様な組み合わせ、を含む。折り目を作成するために切り目が使用されている場合、通常、切り目は、適当なユーザが、誤まって、折り目を切り取り線と見なすほど過度に延在しない。
【００４３】
本発明の前述の説明は、本発明の多様な実施形態を例示して説明する。本発明の範囲を逸脱することなく、多様な変更を上記の構成に行うことが可能であるため、上記の説明に含まれた、あるいは添付の図面に図示されたすべての事項は、例示目的であって、限定を意図するものではないと解釈されるべきである。さらに、本発明の範囲は、請求項の範囲内である、上記に説明した実施形態の多様な変形、組み合わせ、代替などに及ぶ。これに加えて、本開示は、本発明の選択された実施形態のみを図示し、説明するが、本発明は、その他の多様な組み合わせ、変更および環境において使用することが可能であり、上記の教示に相応し、および／または関連分野の技術または知識内において、本明細書に示されるように、発明概念の範囲内の変更または変形を行うことが可能である。さらに、それぞれの実施形態の一定の機能および特徴は、本発明の範囲を逸脱することなく、その他の例示、および例示されていない本発明の実施形態と選択的に交換および適用してもよい。
【図面の簡単な説明】
【００４４】
【図１】本発明の第１の実施形態に従い、パッケージを形成するために使用されるブランクの平面図である。
【図２】第１の実施形態のパッケージに、部分的に形成されるブランクの透視図である。
【図３】中に保持される容器を含む、第１の実施形態のパッケージの透視図である。
【図４】図３に類似の透視図であるが、パッケージの反対側を示している。
【図５】第１の実施形態のパッケージの端面図である。
【図６】図５の反対側からの第１の実施形態のパッケージの端面図である。
【図７】図６の拡大部分である。
【図８】本発明の第２の実施形態に従い、パッケージを形成するために使用されるブランクの平面図である。
【図９】第２の実施形態のパッケージに、部分的に組み立てられた図８のブランクの透視図である。
【図１０】第２の実施形態のパッケージの拡大図である。
【図１１】本発明の第３の実施形態に従い、パッケージを形成するために使用されるブランクの外側の平面図である。
【図１２】本発明の第４の実施形態に従い、パッケージを形成するために使用されるブランクの平面図である。
【図１３】本発明の第５の実施形態に従い、パッケージを形成するために使用されるブランクの平面図である。
【図１４】第５の実施形態のパッケージの端面図である。
【図１５】本発明の第６の実施形態に従い、パッケージを形成するために使用されるブランクの平面図である。
【図１６】第６の実施形態のパッケージの端面図である。
【図１】
2009523670.tif 000003
【図２】
2009523670.tif 000004
【図３】
2009523670.tif 000005
【図４】
2009523670.tif 000006
【図５】
2009523670.tif 000007
【図６】
2009523670.tif 000008
【図７】
2009523670.tif 000009
【図８】
2009523670.tif 000010
【図９】
2009523670.tif 000011
【図１０】
2009523670.tif 000012
【図１１】
2009523670.tif 000013
【図１２】
2009523670.tif 000014
【図１３】
2009523670.tif 000015
【図１４】
2009523670.tif 000016
【図１５】
2009523670.tif 000017
【図１６】
2009523670.tif 000018
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
複数の容器を保持するためのパッケージであって、前記パッケージは、
前記パッケージ内部周辺に少なくとも部分的に延在するパネルであって、トップパネルと、ボトムパネルと、第１のサイドパネルと、第２のサイドパネルと、を備える、パネルと、
前記ボトムパネルに、前記容器の上部を受け止めて保持するための、少なくとも１つの機能部と、を備え、
前記少なくとも１つの機能部は、前記容器の前記上部を受け止めるための少なくとも２つの開口と、前記容器に係合し、前記パッケージ内で前記容器の動きを少なくとも部分的に抑制するように、前記開口の間に配置されたブレースと、を備え、
前記ブレースは、前記ボトムパネルに折り曲げ可能に取り付けられた第１のブレースパネルと、前記ボトムパネルに折り曲げ可能に取り付けられた第２のブレースパネルと、を備え、前記第１および第２のブレースパネルは、前記ブレースを形成するように、連結して係合している、パッケージ。
【請求項２】
前記第１および前記第２のブレースパネルのうちの１つは、前記第１および前記第２のブレースパネルのうちのもう一方の少なくとも一部を受け止めるための開口を備える、請求項１に記載のパッケージ。
【請求項３】
前記第１および前記第２のブレースパネルのうちのもう一方は、前記開口で受け止められる突出部を備える、請求項２に記載のパッケージ。
【請求項４】
前記開口は、前記第１のブレースパネルに取り付けられた少なくとも１つのフラップを画定する、請求項２に記載のパッケージ。
【請求項５】
前記少なくとも１つのフラップは、２つのフラップであり、前記開口は、前記２つのフラップの間にスリットを備える、請求項２に記載のパッケージ。
【請求項６】
前記第１のブレースパネルは、下部ブレース部分に折り畳み可能に取り付けられた上部ブレース部分を備え、前記第２のブレースパネルは、下部ブレース部分に折り畳み可能に取り付けられた上部ブレース部分を備える、請求項１に記載のパッケージ。
【請求項７】
前記第２のブレースパネルは、前記上部ブレース部分と前記下部ブレース部分に折り曲げ可能に接続する折り目と、前記折り目の各終端において、前記上部滑り止めブレース部分の一部を前記下部滑り止めブレース部分から分離する２つの離間した終端切り目とを備えている、請求項６に記載のパッケージ。
【請求項８】
前記折り目は、容器受け止り凹部を前記ブランクに形成するように、前記終端切り目からずれている、請求項７に記載のパッケージ。
【請求項９】
前記第１のブレースパネルの前記上部パネル部分は、前記第２のブレースパネルの前記上部ブレース部分の一部に少なくとも部分的に重なる、請求項６に記載のパッケージ。
【請求項１０】
前記第１および第２のサイドパネルは、前記容器の少なくとも一部を受け止めるための開口を有する、請求項１に記載のパッケージ。
【請求項１１】
前記複数の容器は、フランジ部を有するボトルから成り、各ブレースパネルは該フランジ部の少なくとも一つの下側部分と係合する、請求項１に記載のパッケージ。
【請求項１２】
複数の容器を保持するパッケージを形成するためのブランクであって、前記ブランクは、
トップパネルと、ボトムパネルと、第１のサイドパネルと、第２のサイドパネルと、を備えるパネルと、
前記ボトムパネルに少なくとも２つの開口と、
前記ボトムパネルに折り曲げ可能に取り付けられた第１のブレースパネルと、前記ボトムパネルに折り曲げ可能に取り付けられた第２のブレースパネルと、を備え、前記第１および第２のブレースパネルは、互いに連結して係合するように適合され、前記第１および第２のブレースパネルは、前記開口にそれぞれ配置されている、ブランク。
【請求項１３】
前記第１および前記第２のブレースパネルのうちの一方のブレースパネルは、前記第１および前記第２のブレースパネルのうちの他方のブレースパネルは少なくとも一部を受け止めるための開口を備え、前記第１および前記第２のブレースパネルのうちの他方のブレースパネルは、前記第１および第２のブレースパネルのうちの前記一方のブレースパネルの前記開口で受け止められるための突出部を備える、請求項１２に記載のブランク。
【請求項１４】
前記第１および第２のブレースパネルのうちの前記一方のブレースパネルにある前記開口は、前記第１のブレースパネルに取り付けられた少なくとも１つのフラップを少なくとも部分的に画定する、請求項１３に記載のブランク。
【請求項１５】
前記少なくとも１つのフラップは２つのフラップであり、前記第１および第２のブレースパネルのうちの前記一方のブレースパネルにある前記開口は、前記２つのフラップの間にスリットを備える、請求項１３に記載のブランク。
【請求項１６】
前記第１のブレースパネルは、下部ブレース部分に折り曲げ可能に取り付けられた上部ブレース部分を備え、前記第２のブレースパネルは、下部ブレース部分に折り曲げ可能に取り付けられた上部ブレース部分を備え、前記第２のブレースパネルは、前記上部ブレース部分と前記下部ブレース部分を折り曲げ可能に接続する折り目と、前記折り目の各終端において、前記上部ブレース部分の一部を前記下部ブレース部分から分離するの２つの離間した終端切り目とを備え、前記折り目は、前記ブランクに容器受け止め凹部を形成するように、前記終端切り目からずれている、請求項１２に記載のブランク。
【請求項１７】
前記第１のブレースパネルの前記上部パネル部分は、前記第２のブレースパネルの前記上部ブレース部分の一部と少なくとも部分的に重なって係合するためのものである、請求項１６に記載のブランク。
【請求項１８】
前記第１および第２のサイドパネルは、前記容器の少なくとも一部を受け止めるための開口を有する、請求項１２に記載のブランク。
【請求項１９】
複数の容器を収容するためのパッケージを形成する方法であって、
ボトムパネルと、前記ボトムパネルに折り曲げ可能に取り付けられた第１のブレースパネルと、前記ボトムパネルに折り曲げ可能に取り付けられた第２のブレースパネルと、を有するブランクを提供するステップと、
前記ブレースパネルが連結して係合するように、前記第１のブレースパネルと前記第２のブレースパネルを折り曲げることによってブレースを形成するステップと、
少なくとも１つの容器を前記ボトムパネルの容器受け止め開口に挿入し、前記容器の上部を前記パッケージに保持するステップとを備える、方法。
【請求項２０】
前記ブレースを形成するステップは、前記第２のブレースパネルの少なくとも一部を前記第１のブレースパネルの開口に挿入するステップを備える、請求項１９に記載の方法。
【請求項２１】
前記ブレースを形成するステップは、前記第２のブレースパネル上の突出部を前記第１のブレースパネルの２つのフラップの下の前記開口に挿入するステップを備える、請求項２０に記載の方法。
【請求項２２】
前記容器の前記上部は、前記パッケージからの前記容器の引き出しを少なくとも部分的に抑制するために、前記ブレースとの係合によって、前記パッケージ内に保持され、前記ブレースが前記容器のフランジの下側と係合する、請求項１９に記載の方法。
【国際調査報告】
2009523670.tif 000019
2009523670.tif 000020